(57)【要約】【課題】ユーザーが選択したインターフェースボードを確実に使用できるようにする。【解決手段】プロジェクター１００は、２枚のインターフェースボードＩＦを交換可能に接続できる接続部１５４と、ボード通信部１５２と、判別部１７２と、電源制御部１７３と、インターフェースボードＩＦの選択操作を受け付ける操作受付部１３０と、選択されたインターフェースボードＩＦから入力された画像を投射する投射部１１０とを備え、電源制御部１７３は、２枚のインターフェースボードＩＦの種類に基づいて、一方のインターフェースボードＩＦに電源供給を行い他方のインターフェースボードＩＦに電源供給を行っていない状態で、他方のインターフェースボードＩＦの選択操作を受け付けると、一方のインターフェースボードＩＦへの電源供給を停止し、その後に他方のインターフェースボードＩＦへの電源供給を開始する。【選択図】図２
2019134282.tif 000002
【特許請求の範囲】
【請求項１】
複数のインターフェースボードを交換可能に接続できる接続部と、
前記接続部に接続された前記インターフェースボードと通信を行う通信部と、
前記接続部に接続された前記インターフェースボードの種類を判別する判別部と、
前記接続部に接続された前記インターフェースボードへの電源供給を制御する電源制御部と、
前記接続部に接続された前記インターフェースボードのいずれかを選択する選択操作を受け付ける操作受付部と、
前記選択操作により選択された前記インターフェースボードから前記通信部に入力された画像情報に基づく画像を表示する表示部と、を備え、
前記電源制御部は、
前記判別部によって判別された複数の前記インターフェースボードの種類に基づいて、前記接続部に接続された第１のインターフェースボードに電源供給を行い第２のインターフェースボードに電源供給を行っていない状態で、前記操作受付部が前記第２のインターフェースボードを選択する前記選択操作を受け付けると、前記第１のインターフェースボードへの電源供給を停止し、前記第１のインターフェースボードへの電源供給を停止した後に前記第２のインターフェースボードへの電源供給を開始する、
表示装置。
【請求項２】
同時に電源供給できない前記インターフェースボードの種類の組み合わせを記憶する記憶部を備え、
前記電源制御部は、前記判別部によって判別された複数の前記インターフェースボードの種類の組み合わせが、前記記憶部が記憶する組み合わせに該当する場合に、前記選択操作により選択された前記インターフェースボードに電源供給を行い、前記記憶部が記憶する組み合わせに該当する他の前記インターフェースボードに電源供給を行わない、
請求項１に記載の表示装置。
【請求項３】
前記電源制御部は、
前記判別部によって判別された複数の前記インターフェースボードの種類の組み合わせが、前記記憶部が記憶する組み合わせに該当しない場合に、前記接続部に接続された複数の前記インターフェースボードのそれぞれに電源供給を行う、
請求項２に記載の表示装置。
【請求項４】
前記選択操作により選択された前記インターフェースボードのエラーを検出するエラー検出部と、
通知部と、を備え、
前記電源制御部は、前記接続部に接続された第１のインターフェースボードに電源供給を行い第２のインターフェースボードに電源供給を行っていない状態で、前記選択操作により選択された前記第２のインターフェースボードにおけるエラーを前記エラー検出部が検出した場合、前記第１のインターフェースボードへの電源供給を維持して、前記エラー検出部が検出したエラーを前記通知部により通知させる、
請求項１から３のいずれか一項に記載の表示装置。
【請求項５】
複数のインターフェースボードを交換可能に接続できる接続部と、前記接続部に接続された前記インターフェースボードのいずれかを選択する選択操作を受け付ける操作受付部と、前記選択操作により選択された前記インターフェースボードから入力される画像情報に基づいて画像を表示する表示部とを備える表示装置の制御方法であって、
前記接続部に接続された前記インターフェースボードの種類を判別し、
判別した複数の前記インターフェースボードの種類に基づいて、前記接続部に接続された第１のインターフェースボードに電源供給を行い第２のインターフェースボードに電源供給を行っていない状態で、前記第２のインターフェースボードを選択する前記選択操作を受け付けた場合に、前記第１のインターフェースボードへの電源供給を停止し、前記第１のインターフェースボードへの電源供給を停止した後に前記第２のインターフェースボードへの電源供給を開始する、
表示装置の制御方法。
【発明の詳細な説明】
【技術分野】
【０００１】
本発明は、表示装置、及び、表示装置の制御方法に関する。
【背景技術】
【０００２】
従来、複数の入力端子を有する表示装置が知られている（例えば、特許文献１参照）。特許文献１では、外部装置と接続するための入力端子を複数有し、いくつかの入力端子が外部装置と接続する状態において使用者により選択された入力端子から入力される映像を投射するプロジェクターを開示する。
【先行技術文献】
【特許文献】
【０００３】
【特許文献１】特開２００９−２９６４０４号公報
【発明の概要】
【発明が解決しようとする課題】
【０００４】
ところで、入力端子は特許文献１のように複数種類ある。そのため、表示装置は、所定の制約により、全種類の入力端子を備えることが難しい場合がある。したがって、表示装置は、ＰＣの拡張スロットのように、ユーザーが所望する入力端子を備えたインターフェースボードが交換可能に接続できる構成であることが望ましい。この構成において複数のインターフェースボードを使用する場合、インターフェースボードの種類によっては、動作に必要な電力が表示装置から供給可能な電力を上回る場合がある。この場合、表示装置が各インターフェースボードへ十分な電源供給を行えず、ユーザーは、選択したインターフェースボードを使用できない可能性がある。
そこで、本発明は、複数のインターフェースボードが交換可能に接続できる表示装置において、ユーザーが選択したインターフェースボードを確実に使用できるようにすることを目的とする。
【課題を解決するための手段】
【０００５】
上記課題を解決するために、本発明の表示装置は、複数のインターフェースボードを交換可能に接続できる接続部と、前記接続部に接続された前記インターフェースボードと通信を行う通信部と、前記接続部に接続された前記インターフェースボードの種類を判別する判別部と、前記接続部に接続された前記インターフェースボードへの電源供給を制御する電源制御部と、前記接続部に接続された前記インターフェースボードのいずれかを選択する選択操作を受け付ける操作受付部と、前記選択操作により選択された前記インターフェースボードから前記通信部に入力された画像情報に基づく画像を表示する表示部と、を備え、前記電源制御部は、前記判別部によって判別された複数の前記インターフェースボードの種類に基づいて、前記接続部に接続された第１のインターフェースボードに電源供給を行い第２のインターフェースボードに電源供給を行っていない状態で、前記操作受付部が前記第２のインターフェースボードを選択する前記選択操作を受け付けると、前記第１のインターフェースボードへの電源供給を停止し、前記第１のインターフェースボードへの電源供給を停止した後に前記第２のインターフェースボードへの電源供給を開始する。
本発明によれば、選択操作により選択されたインターフェーボードに十分な電源供給を行える。そのため、複数のインターフェースボードが交換可能に接続できる表示装置において、ユーザーが選択したインターフェースボードを確実に使用できるようにすることができる。
【０００６】
また、本発明は、同時に電源供給できない前記インターフェースボードの種類の組み合わせを記憶する記憶部を備え、前記電源制御部は、前記判別部によって判別された複数の前記インターフェースボードの種類の組み合わせが、前記記憶部が記憶する組み合わせに該当する場合に、前記選択操作により選択された前記インターフェースボードに電源供給を行い、前記記憶部が記憶する組み合わせに該当する他の前記インターフェースボードに電源供給を行わない。
本発明によれば、同時に電源供給できない複数のインターフェースボードが接続された場合でも、選択されたインターフェースボードに十分な電源供給を行うことができる。そのため、同時に電源供給できない複数のインターフェースボードが接続している場合でも、ユーザーが選択したインターフェースボードを確実に使用できるようにすることができる。
【０００７】
また、本発明は、前記電源制御部は、前記判別部によって判別された複数の前記インターフェースボードの種類の組み合わせが、前記記憶部が記憶する組み合わせに該当しない場合に、前記接続部に接続された複数の前記インターフェースボードのそれぞれに電源供給を行う。
本発明によれば、同時に電源供給できる複数のインターフェースボードが接続された場合に、選択されたインターフェースボードを含んだ複数のインターフェースボードに十分な電源供給を行うことができる。そのため、選択されたインターフェースボードを含む複数のインターフェースボードを、ユーザーが使用できるようにすることができる。
【０００８】
また、本発明は、前記選択操作により選択された前記インターフェースボードのエラーを検出するエラー検出部と、通知部と、を備え、前記電源制御部は、前記接続部に接続された第１のインターフェースボードに電源供給を行い第２のインターフェースボードに電源供給を行っていない状態で、前記選択操作により選択された前記第２のインターフェースボードにおけるエラーを前記エラー検出部が検出した場合、前記第１のインターフェースボードへの電源供給を維持して、前記エラー検出部が検出したエラーを前記通知部により通知させる。
本発明によれば、選択操作により操作された第２のインターフェースボードにおけるエラーをエラー検出部が検出した場合、第１のインターフェースボードへの電源供給を維持して、エラー検出部が検出したエラーを通知部により通知させるため、エラーの拡大を防止しつつ、選択したインターフェースボードにおいて検出したエラーをユーザーに認識させることができる。
【０００９】
また、上記課題を解決するために、本発明は、複数のインターフェースボードを交換可能に接続できる接続部と、前記接続部に接続された前記インターフェースボードのいずれかを選択する選択操作を受け付ける操作受付部と、前記選択操作により選択された前記インターフェースボードから入力される画像情報に基づいて画像を表示する表示部とを備える表示装置の制御方法であって、前記接続部に接続された前記インターフェースボードの種類を判別し、判別した複数の前記インターフェースボードの種類に基づいて、前記接続部に接続された第１のインターフェースボードに電源供給を行い第２のインターフェースボードに電源供給を行っていない状態で、前記第２のインターフェースボードを選択する前記選択操作を受け付けた場合に、前記第１のインターフェースボードへの電源供給を停止し、前記第１のインターフェースボードへの電源供給を停止した後に前記第２のインターフェースボードへの電源供給を開始する。
本発明によれば、選択操作により選択されたインターフェーボードに十分な電源供給を行えるため、複数のインターフェースボードが交換可能に接続できる表示装置において、ユーザーが選択したインターフェースボードを確実に使用できるようにすることができる。
【図面の簡単な説明】
【００１０】
【図１】プロジェクターの概略図。
【図２】プロジェクターの構成を示す図。
【図３】プロジェクターの動作を示すフローチャート。
【図４】プロジェクターの動作を示すフローチャート。
【発明を実施するための形態】
【００１１】
図１は、プロジェクター１００（表示装置）の概略図である。
【００１２】
プロジェクター１００は、投射対象に画像光を投射して、投射対象の面に画像情報に基づく画像を形成する。プロジェクター１００が画像を投射する投射対象は、平面であっても曲面や凹凸面であってもよいが、本実施形態では、平面で構成されるスクリーンＳＣに投射する場合を例示する。スクリーンＳＣは、壁面等の固定された利用してもよく、吊り下げ式や立ち上げ式の幕上のスクリーンであってもよい。プロジェクター１００は、画像光を投射する投射開口部１１４が設けられる。投射開口部１１４は、プロジェクター１００に内蔵される投射光学系１１３（図２参照）が光を投射する開口部である。
【００１３】
プロジェクター１００の筺体の側面には、標準装備される入力端子が配置された端子配置エリアＨＡが形成されている。図１に示す端子配置エリアＨＡには、標準装備される入力端子として、Ｄ−Ｓｕｂ（D-Subminiature）規格の入力端子Ｔ１、ＬＡＮ（Local Area Network）規格の入力端子Ｔ２、Ｓ−Ｖｉｄｅｏ規格の入力端子Ｔ３、Ｖｉｄｅｏ規格の入力端子Ｔ４、ＵＳＢＴｙｐｅ−Ａ（Universal Serial Bus Type-A）規格の入力端子Ｔ５、及びＵＳＢＴｙｐｅ−Ｂ（Universal Serial Bus Type-B）規格の入力端子Ｔ６が配置されている。
【００１４】
また、プロジェクター１００の筺体の側面には、開口Ｋ１、Ｋ２が形成されている。開口Ｋ１、Ｋ２は、インターフェースボードＩＦをプロジェクター１００と接続するために、インターフェースボードＩＦを挿し込むための開口である。インターフェースボードＩＦは、プロジェクター１００にインターフェースを追加するための拡張ボードであり、１または複数の規格に従った入力端子及び出力端子の少なくともいずれかを有する。図１では、開口Ｋ１にインターフェースボードＩＦ１が挿し込まれ、プロジェクター１００とインターフェースボードＩＦ１とが接続している状態を示している。また、図１では、開口Ｋ２にインターフェースボードＩＦ２が挿し込まれ、プロジェクター１００とインターフェースボードＩＦ２とが接続している状態を示している。
【００１５】
インターフェースボードＩＦ１は、ＳＤＩ（Serial Digital Interface）規格の一つである３Ｇ−ＳＤＩ規格の入力端子ＮＴ１、ＮＴ２、ＮＴ３、ＮＴ４、及び、３Ｇ−ＳＤＩ規格の出力端子ＳＴ１、ＳＴ２、ＳＴ３、ＳＴ４を有するインターフェースボードＩＦである。なお、３Ｇ−ＳＤＩ規格は、１本のケーブルにより３Ｇｂ／ｓのデータを伝送可能とする規格である。インターフェースボードＩＦ１は、プロジェクター１００に対して他のインターフェースボードＩＦと交換可能に接続される。
【００１６】
インターフェースボードＩＦ２は、ＨＤＭＩ（High-Definition Multimedia Interface）（登録商標）規格の入力端子Ｔ７と、ＤＶＩ（Digital Visual Interface）規格の入力端子Ｔ８とを有するインターフェースボードＩＦである。インターフェースボードＩＦ２は、プロジェクター１００に対して他のインターフェースボードＩＦと交換可能に接続される。
【００１７】
図１では、プロジェクター１００に対してインターフェースボードＩＦ１、ＩＦ２が接続している状態を示しているが、プロジェクター１００には、互いに異なる種類のインターフェースボードＩＦが接続されてもよいし、同じ種類のインターフェースボードＩＦが接続されてもよい。インターフェースボードＩＦの種類は、インターフェースボードＩＦが有する端子の種類、及び端子数によって異なる。
【００１８】
このように、プロジェクター１００は、インターフェースボードＩＦを交換可能に接続できるよう構成されることで以下に示す効果を奏する。すなわち、ユーザーは、インターフェースボードＩＦを開口に挿し込んでプロジェクター１００と接続させるだけで、プロジェクター１００が有する入力端子を所望の規格の入力端子とすることが容易に行える。また、プロジェクター１００は、全種類の端子を有する必要がない。そのため、プロジェクター１００にかかるコストを抑えることができ、また、全種類の端子を配置するためのスペースを筺体に確保する必要がない。
【００１９】
図２は、プロジェクター１００の構成を示す図である。
プロジェクター１００は、画像入力Ｉ／Ｆ部１５１を備える。画像入力Ｉ／Ｆ部１５１は、少なくとも、端子配置エリアＨＡに配置される入力端子、及びこの入力端子を介した通信に必要なハードウェア（例えば、インターフェース回路）を備える。なお、画像入力Ｉ／Ｆ部１５１は、所定の無線通信規格に従った通信に必要なハードウェアを備えていてもよい。
画像入力Ｉ／Ｆ部１５１は、外部から送信される信号を受信する。画像入力Ｉ／Ｆ部１５１は、受信した信号に含まれる画像データや、同期信号（垂直同期信号及び水平同期信号）を取り出す。画像入力Ｉ／Ｆ部１５１は、取り出した画像データをフレームメモリー１５３に出力して、フレームメモリー１５３に記憶させ、また、同期信号を画像処理部１５５や、制御部１７０に出力する。画像処理部１５５は、同期信号に同期して画像データに対する処理を行う。また、制御部１７０は、同期信号に基づいて、プロジェクター１００を構成する各部の動作を制御する。
【００２０】
ボード通信部１５２（通信部）は、接続部１５４に接続されたインターフェースボードＩＦと通信し、インターフェースボードＩＦから送信される信号を受信する。そして、ボード通信部１５２は、画像入力Ｉ／Ｆ部１５１と同様に、画像データや同期信号等の取り出し、フレームメモリー１５３への出力、及び同期信号の出力を行う。
【００２１】
接続部１５４は、開口Ｋ１、Ｋ２等の、複数のインターフェースボードＩＦを交換可能にプロジェクター１００に対して接続できる構成を備える。本実施形態では、接続部１５４は、２枚のインターフェースボードＩＦが同時にプロジェクター１００に対して接続できる構成を備える。接続部１５４は、インターフェースボードＩＦが接続されると、接続されたことを示す信号を制御部１７０に出力する。制御部１７０は、接続部１５４から入力される信号に基づいて、インターフェースボードＩＦの接続の有無、及び、接続枚数を判別する。
【００２２】
プロジェクター１００は、光学的な画像を形成してスクリーンＳＣに投射する投射部１１０と、投射部１１０を駆動する駆動部１２０とを備える。投射部１１０は、光源部１１１、光変調装置１１２、及び、投射光学系１１３を備える。また、駆動部１２０は、光源駆動部１２１、光変調装置駆動部１２２、及び、投射光学系駆動部１２３を備える。ここで投射部１１０は本発明の「表示部」に相当する。
【００２３】
光源部１１１は、キセノンランプ、超高圧水銀ランプ、ＬＥＤ（Light Emitting Diode）又はレーザー光源等の光源を備える。また、光源部１１１は、光源が発した光を光変調装置１１２に導くリフレクター及び補助リフレクターを備えていてもよい。さらに光源部１１１は、投射光の光学特性を高めるためのレンズ群、偏光板、又は光源が発した光の光量を光変調装置１１２に至る経路上で低減させる調光素子等（いずれも不図示）を備えていてもよい。
【００２４】
光源部１１１は、光源駆動部１２１により駆動される。光源駆動部１２１は、バス１８０に接続され、同じくバス１８０に接続された制御部１７０の制御に従って、光源部１１１の光源を点灯又は消灯させる。
【００２５】
光変調装置１１２は、例えばＲＧＢの三原色に対応した３枚の液晶パネルを備える。光源部１１１が発した光は、ダイクロイックミラーや、反射ミラー、リレーレンズ等（いずれも不図示）によってＲＧＢの３色の色光に分離され、対応する色の液晶パネルに入射される。３枚の液晶パネルは、透過型の液晶パネルであり、透過する光を変調して画像光を生成する。各液晶パネルを通過して変調された画像光は、クロスダイクロイックプリズム等の合成光学系によって合成され、投射光学系１１３に射出される。
【００２６】
光変調装置１１２は、光変調装置駆動部１２２により駆動される。光変調装置駆動部１２２は、バス１８０に接続され、制御部１７０の制御に従って光変調装置１１２を駆動する。
光変調装置駆動部１２２は、画像処理部１５５から入力される画像データに基づいて、液晶パネルを駆動する駆動信号をＲ，Ｇ，Ｂの色ごとに生成する。光変調装置駆動部１２２は、生成したＲ，Ｇ，Ｂの駆動信号に基づいて対応する色の液晶パネルを駆動し、各液晶パネルに画像を描画する。
【００２７】
投射光学系１１３は、光変調装置１１２により変調された画像光をスクリーンＳＣ方向へ投射して、スクリーンＳＣ上に結像させるレンズ群を備える。また、投射光学系１１３は、スクリーンＳＣの投射画像の拡大・縮小及び焦点の調整を行うズーム機構、フォーカスの調整を行うフォーカス調整機構を備えていてもよい。
【００２８】
投射光学系１１３は、投射光学系駆動部１２３により駆動される。投射光学系駆動部１２３は、例えば、モーターを備え、制御部１７０の制御に従ってモーターを駆動して、ズームやフォーカスの調整を行う。
【００２９】
プロジェクター１００は、操作受付部１３０を備える。操作受付部１３０は、操作パネル１３１、リモコン受光部１３３、及び入出力Ｉ／Ｆ部１３５を備える。
【００３０】
ユーザーインターフェースとして機能する操作パネル１３１には、各種の操作キーや、液晶パネルが設けられる。入出力Ｉ／Ｆ部１３５は、操作パネル１３１、リモコン受光部１３３及びバス１８０に接続される。入出力Ｉ／Ｆ部１３５は、操作キーが操作されると、操作された操作キーに対応した操作信号を制御部１７０に出力する。また、入出力Ｉ／Ｆ部１３５は、制御部１７０の制御に従って、液晶パネルに各種の操作画面を表示させる。操作画面には、プロジェクター１００を操作可能な各種ボタンが表示される。
【００３１】
入出力Ｉ／Ｆ部１３５は、操作パネル１３１、リモコン受光部１３３、及びバス１８０に接続される。入出力Ｉ／Ｆ部１３５は、操作ボタンが操作されると、操作された操作ボタンに対応した操作信号を制御部１７０に出力する。
【００３２】
赤外線信号を受光するリモコン受光部１３３は、ユーザーインターフェースとして機能するリモコン５から送信される赤外線信号を受光する。リモコン受光部１３３は、受光した赤外線信号をデコードして、リモコン５における操作内容を示す操作信号を生成し、制御部１７０に出力する。
【００３３】
プロジェクター１００は、通信Ｉ／Ｆ部１４５を備える。通信Ｉ／Ｆ部１４５は、制御部１７０の制御で、例えば無線ＬＡＮやＢｌｕｅｔｏｏｔｈ（登録商標）等の無線通信規格に従って、外部装置との間で各種データを送受信する。
【００３４】
プロジェクター１００は、電源部２００を備える。電源部２００は、ケーブルを介して商用交流電源ＤＧに接続し、商用交流電源ＤＧから供給される電力に基づいてプロジェクター１００を駆動させる電力を生成する。また、電源部２００は、生成した電力を、電源供給部２０１を含むプロジェクター１００の各部に供給する。
電源供給部２０１は、バス１８０に接続され、同じくバス１８０に接続された制御部１７０の制御に従って、接続部１５４に接続されたインターフェースボードＩＦに対する電源部２００からの電源供給を制御する。
【００３５】
プロジェクター１００は、画像処理系を備える。画像処理系は、プロジェクター１００の全体を統括的に制御する制御部１７０を中心に構成され、この他に、フレームメモリー１５３、画像処理部１５５、及び、記憶部１６０を備える。制御部１７０、画像処理部１５５、及び、記憶部１６０は、バス１８０を介して相互に通信可能に接続される。
【００３６】
フレームメモリー１５３は、複数のバンクを備える。各バンクは、画像データの１フレームを書き込み可能な記憶容量をする。フレームメモリー１５３は、例えば、ＳＤＲＡＭ（Synchronous Dynamic Random Access Memory）により構成される。ＳＤＲＡＭは、クロックに同期してデータの読み出し及び書き込みを行うＤＲＡＭである。
【００３７】
画像処理部１５５は、フレームメモリー１５３に展開された画像データに対して、例えば、解像度変換（スケーリング）処理又はリサイズ処理、歪曲収差の補正、形状補正処理、デジタルズーム処理、画像の色合いや輝度の調整等の処理を行う。画像処理部１５５は、制御部１７０により指定された処理を実行し、必要に応じて、制御部１７０から入力されるパラメーターを使用して処理を行う。また、画像処理部１５５は、上記のうち複数の処理を組み合わせて実行することも勿論可能である。
画像処理部１５５は、処理の終了した画像データをフレームメモリー１５３から読み出してＯＳＤ処理部１５７に出力する。
【００３８】
ＯＳＤ処理部１５７は、制御部１７０の制御に基づいて、画像処理部１５５から入力された画像情報が示す画像上に、各種設定を行うためメニュー画面であるＯＳＤメニュー画面を重畳するための処理を行う。ＯＳＤ処理部１５７は、図示しないＯＳＤメモリーを備えており、メニュー画像を形成するための図形やフォント等を表す画像情報を記憶している。制御部１７０がメニュー画像の重畳を指示すると、ＯＳＤ処理部１５７は、必要な画像情報をＯＳＤメモリーから読み出して、指定されたメニュー画像を形成するためのメニュー画像情報を生成する。そして、ＯＳＤ処理部１５７は、画像処理部１５５から入力された画像情報が示す画像上の所定の位置にメニュー画像が重畳されるように、画像処理部１５５から入力される画像情報にこのメニュー画像情報を合成する。メニュー画像情報が合成された合成画像情報は、光変調装置駆動部１２２に出力される。なお、制御部１７０からＯＳＤメニュー画面を重畳する旨の指示がない場合には、ＯＳＤ処理部１５７は、画像処理部１５５から入力される画像情報を、そのまま光変調装置駆動部１２２に出力する。
【００３９】
記憶部１６０は、例えば、ハードディスク装置等の補助記憶装置である。記憶部１６０は、フラッシュメモリーやＥＥＰＲＯＭ（Electrically Erasable Programmable ROM）等の半導体メモリーや、ＣＤ（Compact Disc）、ＤＶＤ（Digital Versatile Disc）、ＢＤ（Blu-ray（登録商標） Disc）等の光ディスクにより代替可能である。記憶部１６０は、制御部１７０が実行する制御プログラムや、画像処理部１５５が実行する画像処理に使用するパラメーター等の各種データを記憶する。また、記憶部１６０は、画像データを記憶する。プロジェクター１００は、記憶部１６０から画像データを読み出して画像処理し、処理後の画像データを投射部１１０によりスクリーンＳＣに投射する。
【００４０】
また、記憶部１６０は、組み合わせＤＢ１６０Ａを記憶する。組み合わせＤＢ１６０Ａは、２枚のインターフェースボードＩＦが同時に接続部１５４に接続された場合に、プロジェクター１００が使用可能な電力の制約により同時に電源供給できないインターフェースボードＩＦの種類の組み合わせを示す組み合わせデータを、１又は複数格納するデータベースである。本実施形態では、２枚のインターフェースボードＩＦ１へ同時に電源供給できない場合を例示する。したがって、本実施形態の組み合わせＤＢ１６０Ａには、少なくとも、インターフェースボードＩＦ１の種類同士の組み合わせを示す組み合わせデータが格納されている。なお、本実施形態では、記憶部１６０が記憶していない組み合わせは、同時に電源供給できるインターフェースボードＩＦの種類の組み合わせであるとする。
【００４１】
制御部１７０は、ハードウェアとしてＣＰＵ、ＲＯＭ、ＲＡＭ及びその他の周辺回路（いずれも不図示）を備える。ＣＰＵは、演算処理を実行するプロセッサーであり、ＲＯＭや記憶部１６０が記憶する制御プログラムに従って演算処理を実行する。ＲＯＭは、不揮発性のメモリーであり、例えば、制御プログラムや演算データを記憶する。ＲＡＭは、プロセッサーが実行する制御プログラムや演算データを一時記憶するワークエリアとして使用される。
【００４２】
本実施形態は、制御部１７０が一つのプロセッサー（ＣＰＵ）を備え、このプロセッサーが制御プログラムに従った処理を実行することで制御部１７０の機能を実現するが、複数のプロセッサー又は半導体チップにより制御部１７０の機能を実現してもよい。例えば、制御部１７０が、ＳｏＣ（System-on-a-Chip）やＭＣＵ（Micro Control Unit）、ＦＰＧＡ（Field-Programmable Gate Array）等の副処理装置（co-processor）をさらに備える構成であってもよい。また、制御部１７０は、ＣＰＵ及び副処理装置の双方を協働させるか、あるいは双方のうちの一方を選択的に用いて各種の制御を行ってもよい。
【００４３】
制御部１７０は、機能ブロックとして、投射制御部１７１、判別部１７２、電源制御部１７３、及びエラー検出部１７４を備える。これらの機能ブロックは、ＣＰＵが制御プログラムに従って演算処理を実行することで実現される機能をブロックとして便宜的に示したものであり、特定のアプリケーションソフトウェアやハードウェアを示すものではない。
【００４４】
投射制御部１７１は、画像処理部１５５や、ＯＳＤ処理部１５７、駆動部１２０等を制御して、スクリーンＳＣに画像を投射させる。具体的には、投射制御部１７１は、画像処理部１５５を制御して、フレームメモリー１５３に展開された画像データを画像処理部１５５に処理させる。この際、投射制御部１７１は、画像処理部１５５が処理に必要なパラメーターを記憶部１６０から読み出して画像処理部１５５に出力する。また、投射制御部１７１は、ＯＳＤ処理部１５７を制御して、画像処理部１５５から入力された画像データをＯＳＤ処理部１５７に処理させる。投射制御部１７１は、操作受付部１３０がＯＳＤメニュー画面を表示する操作を受け付けた場合、ＯＳＤメニュー画面を重畳するようＯＳＤ処理部１５７に処理させる。
【００４５】
また、投射制御部１７１は、光源駆動部１２１を制御して光源部１１１の光源を点灯させ、また、点灯させた光源の輝度を調整させる。さらに、投射制御部１７１は、光変調装置駆動部１２２を制御して光変調装置１１２の液晶パネルに画像を描画させる。また、投射制御部１７１は、投射光学系駆動部１２３を制御してモーターを駆動させ、投射光学系１１３のズームやフォーカスを調整する。
【００４６】
判別部１７２は、接続部１５４に接続されたインターフェースボードＩＦの種類を判別する。例えば、判別部１７２は、インターフェースボードＩＦからインターフェースボードＩＦの種類を示す種類情報を取得し、取得した種類情報に基づいて判別する。
【００４７】
電源制御部１７３は、電源供給部２０１を制御し、接続部１５４に接続したインターフェースボードＩＦへの電源供給を制御する。特に、電源制御部１７３は、２枚のインターフェースボードＩＦが接続している場合、判別部１７２の判別結果に基づいて電源供給部２０１を制御し、２枚のインターフェースボードＩＦへの電源供給を制御する。電源制御部１７３は、電源供給部２０１の給電状態を、同時給電状態、及び選択給電状態のいずれかに切り替える。同時給電状態とは、接続部１５４に接続した２枚のインターフェースボードＩＦのそれぞれに電源供給を行っている状態である。選択給電状態とは、接続部１５４に接続した２枚のインターフェースボードＩＦのうち、ユーザーに選択されたインターフェースボードＩＦに電源供給を行い、ユーザーに選択されなかったインターフェースボードＩＦには電源供給を行わない状態である。
【００４８】
エラー検出部１７４は、接続部１５４に接続したインターフェースボードＩＦについて、通信不良等のエラーを検出する。エラーの検出方法は、いずれの方法を採用できる。エラー検出部１７４は、検出結果を電源制御部１７３に出力する。
【００４９】
次に、本実施形態のプロジェクター１００の動作について説明する。
図３は、プロジェクター１００の動作を示すフローチャートである。
【００５０】
図３に示すフローチャートの説明では、接続部１５４に２枚のインターフェースボードＩＦが接続されていることを前提とする。
【００５１】
プロジェクター１００の制御部１７０の判別部１７２は、接続部１５４に接続された２枚のインターフェースボードＩＦのそれぞれの種類を判別する（ステップＳ１）。
【００５２】
次いで、投射制御部１７１は、判別部１７２が判別した２枚のインターフェースボードＩＦの種類の組み合わせが、記憶部１６０が記憶する組み合わせデータが示す組み合わせに該当するか否かを判別する（ステップＳ２）。
【００５３】
例えば、開口Ｋ１、及び開口Ｋ２のそれぞれにインターフェースボードＩＦ１が挿し込まれ、プロジェクター１００には、２枚のインターフェースボードＩＦ１が接続しているとする。この場合、記憶部１６０にインターフェースボードＩＦ１の種類同士の組み合わせが記憶されているため、投射制御部１７１は、ステップＳ６において肯定判別を行う。
また、例えば、図１に示すように開口Ｋ１にインターフェースボードＩＦ１が挿し込まれ、開口Ｋ２にインターフェースボードＩＦ２が挿し込まれ、プロジェクター１００には、インターフェースＦ１とインターフェースボードＩＦ２との２枚のインターフェースボードＩＦが接続しているとする。この場合、記憶部１６０にはインターフェースボードＩＦ１とインターフェースボードＩＦ２との種類の組み合わせが記憶されていないため、投射制御部１７１は、ステップＳ６において否定判別を行う。
【００５４】
判別部１７２が判別した２枚のインターフェースボードＩＦの種類の組み合わせが、記憶部１６０が記憶する組み合わせに該当すると判別した場合（ステップＳ２：ＹＥＳ）、投射制御部１７１は、入力切替画面において、１の入力端子を選択する選択操作を操作受付部１３０が受け付けたか否かを判別する（ステップＳ３）。
【００５５】
入力切替画面は、ＯＳＤメニュー画面の一つであり、投射する画像の画像情報が入力される入力端子を、ユーザーが選択して切り替えるための画面である。入力切替画面では、端子配置エリアＨＡに配置される入力端子を示す情報、及び、接続部１５４に接続するインターフェースボードＩＦが有する入力端子を示す情報が選択可能に一覧表示される。投射制御部１７１は、リモコン５や操作パネル１３１等により入力切替画面の投射指示があった場合に、入力切替画面を投射部１１０に投射させる。
【００５６】
投射制御部１７１は、操作受付部１３０が選択操作を受け付けたと判別した場合（ステップＳ３：ＹＥＳ）、入力切替画面において選択された入力端子が、接続部１５４に接続されたインターフェースボードＩＦの入力端子であるか否かを判別する（ステップＳ４）。
【００５７】
投射制御部１７１は、接続部１５４に接続されたインターフェースボードＩＦの入力端子でないと判別した場合（ステップＳ４：ＮＯ）、投射する画像の画像情報が入力される入力端子を、インターフェースボードＩＦ以外の入力端子に切り替える（ステップＳ５）。インターフェースボードＩＦ以外の入力端子は、端子配置エリアＨＡに配置される入力端子である。
【００５８】
ステップＳ３の説明に戻り、入力切替画面において選択された入力端子が、接続部１５４に接続されたインターフェースボードＩＦの入力端子であると判別した場合（ステップＳ４：ＹＥＳ）、電源制御部１７３は、選択操作により選択された入力端子を有するインターフェースボードＩＦに電源供給を行い、選択されなかったインターフェースボードＩＦに電源供給を行わない（ステップＳ６）。
【００５９】
例えば、開口Ｋ１、及び開口Ｋ２のそれぞれにインターフェースボードＩＦ１が挿し込まれており、プロジェクター１００には、２枚のインターフェースボードＩＦ１が接続しているものとする。この場合に開口Ｋ１に挿し込まれたインターフェースボードＩＦ１が有する入力端子ＮＴ１、ＮＴ２、ＮＴ３、ＮＴ４のいずれかが、入力切替画面で選択操作により選択されると、電源制御部１７３は、開口Ｋ１に挿し込まれたインターフェースボードＩＦ１に電源供給を行い、開口Ｋ２に挿し込まれたインターフェースボードＩＦ１には電源供給を行わない。これにより、電源制御部１７３は、開口Ｋ１に挿し込まれたインターフェースボードＩＦ１へ十分な電源供給を行うことができる。そのため、電源制御部１７３は、開口Ｋ１に挿し込まれたインターフェースボードＩＦ１をユーザーが使用できるようにすることができる。
【００６０】
次いで、投射制御部１７１は、入力切替画面において、１の入力端子を選択する選択操作を操作受付部１３０が受け付けたか否かを判別する（ステップＳ８）。投射制御部１７１は、リモコン５や操作パネル１３１等により入力切替画面の投射指示があった場合に、入力切替画面を投射部１１０に投射させる。
【００６１】
投射制御部１７１は、操作受付部１３０が選択操作を受け付けたと判別した場合（ステップＳ７：ＹＥＳ）、入力切替画面において選択された入力端子が、接続部１５４に接続されたインターフェースボードＩＦの入力端子であるか否かを判別する（ステップＳ８）。
【００６２】
投射制御部１７１は、選択操作により選択された入力端子が、接続部１５４に接続されたインターフェースボードＩＦの入力端子でないと判別した場合（ステップＳ８：ＮＯ）、処理をステップＳ５に移行させ、投射する画像の画像情報が入力される入力端子を、インターフェースボードＩＦの入力端子から端子配置エリアＨＡに配置される入力端子に切り替える（ステップＳ５）。なお、この切換の際、電源制御部１７３は、消費電力の抑制するため、切替前に電源供給を行っていたインターフェースボードＩＦへの電源供給を停止することが好ましい。
【００６３】
一方で、入力切替画面において選択された入力端子がインターフェースボードＩＦの入力端子であると判別した場合（ステップＳ８：ＹＥＳ）、投射制御部１７１は、入力切替画面において選択された入力端子が、既に電源供給が行われているインターフェースボードＩＦの入力端子であるか否かを判別する（ステップＳ９）。
【００６４】
既に電源供給が行われているインターフェースボードＩＦの入力端子でないと判別した場合（ステップＳ９：ＮＯ）、電源制御部１７３は、既に電源供給を行っているインターフェースボードＩＦへの電源供給を停止する（ステップＳ１０）。そして、電源制御部１７３は、ステップＳ７において選択された入力端子を有するインターフェースボードＩＦに電源供給を開始する（ステップＳ１１）。
【００６５】
例えば、開口Ｋ１、及び開口Ｋ２のそれぞれにインターフェースボードＩＦ１が挿し込まれており、プロジェクター１００には、２枚のインターフェースボードＩＦ１が接続しているものとする。そして、開口Ｋ１に挿し込まれたインターフェースボードＩＦ１へ電源供給が行われており、開口Ｋ２に挿し込まれたインターフェースボードＩＦ２には電源供給が行われていないものとする。この場合に、入力切替画面において開口Ｋ２に挿し込まれたインターフェースボードＩＦ２の入力端子が選択されると、電源制御部１７３は、まず、開口Ｋ１に挿し込まれたインターフェースボードＩＦ１への電源供給を停止する。そして、その後に、電源制御部１７３は、開口Ｋ２に挿し込まれたインターフェースボードＩＦ１に電源供給を開始する。
この例では、開口Ｋ１に挿し込まれたインターフェースボードＩＦ１が本発明の「第１のインターフェースボード」に相当する。また、開口Ｋ２に挿し込まれたインターフェースボードＩＦ１が本発明の「第２のインターフェースボード」に相当する。
【００６６】
これにより、電源制御部１７３は、開口Ｋ２に挿し込まれたインターフェースボードＩＦ１に十分な電源供給を行うことができる。したがって、ユーザーは、使用するインターフェースボードＩＦを、開口Ｋ１に挿し込まれたインターフェースボードＩＦ１から開口Ｋ２に挿し込まれたインターフェースボードＩＦ１に切り替える場合、開口Ｋ２に挿し込まれたインターフェースボードＩＦを確実に使用できる。特に、インターフェースボードＩＦ１のように同時に電源供給できないインターフェースボードＩＦが２枚接続している場合でも、十分な電源供給が行えるため、ユーザーが選択したインターフェースボードＩＦを確実に使用できるようにできる。
【００６７】
ステップＳ２の説明に戻り、２枚のインターフェースボードＩＦの種類の組み合わせが、記憶部１６０が記憶する組み合わせに該当しないと判別した場合（ステップＳ２：ＮＯ）、制御部１７０は、ステップＳ１２、Ｓ１３、Ｓ１４、Ｓ１５、Ｓ１６、Ｓ１７、Ｓ１８の処理を実行する。ステップＳ１２からステップＳ１８までの処理は、ステップＳ３からステップＳ９までの処理と同様の処理であり、詳細な説明を省略する。
【００６８】
投射制御部１７１は、ステップＳ１６において操作受付部１３０が受け付けた選択操作により選択された入力端子が、既に電源供給が行われているインターフェースボードＩＦの入力端子であるか否かを判別する（ステップＳ１８）。既に電源供給が行われているインターフェースボードＩＦの入力端子であると判別した場合（ステップＳ１８：ＹＥＳ）、電源制御部１７３は、２枚のインターフェースボードＩＦのそれぞれに電源供給を行う（ステップＳ１９）。
【００６９】
例えば、図１に示すように、開口Ｋ１にインターフェースボードＩＦ１が挿し込まれており、開口Ｋ２にインターフェースボードＩＦ２が挿し込まれており、プロジェクター１００には、インターフェースボードＩＦ１とインターフェースボードＩＦ２とが接続しているものとする。そして、開口Ｋ１に挿し込まれたインターフェースボードＩＦ１へ電源供給が行われており、開口Ｋ２に挿し込まれたインターフェースボードＩＦ２には電源供給が行われていないものとする。この場合に、入力切替画面において開口Ｋ２に挿し込まれたインターフェースボードＩＦ２の入力端子が選択されると、電源制御部１７３は、インターフェースボードＩＦ１の電源供給を停止することなく、インターフェースボードＩＦ１、ＩＦ２のそれぞれに電源供給を行う。
この例では、開口Ｋ１に挿し込まれたインターフェースボードＩＦ１が本発明の「第１のインターフェースボード」に相当する。また、開口Ｋ２に挿し込まれたインターフェースボードＩＦ２が本発明の「第２のインターフェースボード」に相当する。
【００７０】
本実施形態では、２枚のインターフェースボードＩＦ１へ同時に電源供給できない場合を例示しているため、インターフェースボードＩＦ１とインターフェースボードＩＦ２との組み合わせは、同時に電源供給できる組み合わせである。したがって、電源制御部１７３は、同時に電源供給できるインターフェースボードＩＦが２枚接続された場合、ユーザーの選択操作に基づいてそれぞれに電源供給を行う。これにより、電源制御部１７３は、同時に電源供給できる２枚のインターフェースボードＩＦが接続された場合、ユーザーが選択したインターフェースボードＩＦを含む２枚のインターフェースボードＩＦを使用できるようにすることができる。したがって、例えば、投射制御部１７１は、開口Ｋ１に挿し込まれたインターフェースボードＩＦから入力される画像情報と、開口Ｋ２に挿し込まれたインターフェースボードＩＦから入力される画像情報とを合成した画像情報に基づく画像を投射部１１０により投射させることが可能となる。
【００７１】
なお、上記では、２枚のインターフェースボードＩＦの種類の組み合わせが、記憶部１６０が記憶する組み合わせに該当しないと判別した場合、入力切替画面上で入力端子が選択されることによってインターフェースボードＩＦへ電源供給を行っていく構成を説明した。しかしながら、２枚のインターフェースボードＩＦの種類の組み合わせが、記憶部１６０が記憶する組み合わせに該当しないと判別した段階で、両方のインターフェースボードＩＦへ電源供給を行う構成としてもよい。
【００７２】
［変形例］
次に、変形例について説明する。
変形例では、上述したプロジェクター１００の動作が異なる。
図４は、変形例に係るプロジェクター１００の動作を示すフローチャートである。
【００７３】
図４のフローチャートにおいて、図３のフローチャートと同一のステップについては、同一のステップ番号を付し、その詳細な処理の説明を省略する。
【００７４】
図４に示すフローチャートの説明では、接続部１５４に２枚のインターフェースボードＩＦが接続していることを前提とする。
【００７５】
投射制御部１７１は、入力切替画面において選択操作により選択された入力端子が、接続部１５４に接続されたインターフェースボードＩＦの入力端子であると判別した場合（ステップＳ４：ＹＥＳ）、エラー検出部１７４は、選択操作により選択された入力端子を有するインターフェースボードＩＦに対してエラー検出を実行する（ステップＳＡ１）。
【００７６】
次いで、電源制御部１７３は、エラー検出部１７４がエラーを検出したか否かを判別する（ステップＳＡ２）。電源制御部１７３は、エラー検出部１７４がエラーを検出しなかったと判別した場合（ステップＳＡ２：ＮＯ）、選択操作により選択された入力端子を有するインターフェースボードＩＦに電源供給を行い、選択されなかったインターフェースボードＩＦに電源供給を行わない（ステップＳ６）。
【００７７】
一方で、電源制御部１７３は、エラー検出部１７４がエラーを検出したと判別した場合（ステップＳＡ２：ＹＥＳ）、エラー検出部１７４が検出したインターフェースボードＩＦのエラーをユーザーに通知する（ステップＳＡ３）。例えば、電源制御部１７３は、投射部１１０に、エラーが発生した旨やエラー内容等のエラーに関する画像を投射させて、エラー検出部１７４が検出したエラーをユーザーに通知する。この場合、投射部１１０は、本発明の「通知部」に相当する。なお、通知態様は、投射部１１０による投射に限定されず、例えば液晶パネルによる表示等の態様でもよい。このように、エラーを通知することにより、ユーザーは、選択したインターフェースボードＩＦでエラーが検出されたことを認識できる。
【００７８】
なお、ステップＳＡ３では、電源制御部１７３は、ユーザーが選択操作により選択しなかったインターフェースボードＩＦに電源供給を行ってもよい。ステップＳＡ３では、同時に電源供給ができないインターフェースボードＩＦが２枚接続している場合の処理であり、本実施形態においてはインターフェースボードＩＦ１が２枚接続している場合の処理である。このような接続では、選択したインターフェースボードＩＦにエラーが検出されると、ユーザーは、同種であって他のインターフェースボードＩＦを入力切替画面で選択する蓋然性が高い。そこで、投射制御部１７１は、ユーザーが選択しなかった同種のインターフェースボードＩＦに電源供給を行うことで、自動的に、同種であって他のインターフェースボードＩＦをユーザーが使用できるようにすることができる。
【００７９】
ステップＳ９において、投射制御部１７１は、入力切替画面で選択された入力端子が、既に電源供給が行われているインターフェースボードＩＦの入力端子であるか否かを判別する。既に電源供給が行われているインターフェースボードＩＦの入力端子であると判別した場合（ステップＳ９：ＹＥＳ）、エラー検出部１７４は、ステップＳ７において選択操作により選択された入力端子を有するインターフェースボードＩＦに対してエラー検出を実行する（ステップＳＡ４）。ステップＳＡ４では、エラー検出対象となるインターフェースボードＩＦは、電源供給が行われていないインターフェースボードＩＦである。
【００８０】
次いで、電源制御部１７３は、エラー検出部１７４がエラーを検出したか否かを判別する（ステップＳＡ５）。電源制御部１７３は、エラー検出部１７４がエラーを検出しなかったと判別した場合（ステップＳＡ５：ＮＯ）、既に電源供給を行っているインターフェースボードＩＦへの電源供給を停止する（ステップＳ１０）。そして、電源制御部１７３は、ステップＳ７において選択された入力端子を有するインターフェースボードＩＦに電源供給を開始する（ステップＳ１１）。
【００８１】
一方で、電源制御部１７３は、エラー検出部１７４がエラーを検出したと判別した場合（ステップＳＡ５：ＹＥＳ）、既に電源供給を行っているインターフェースボードＩＦへの電源供給を維持し、選択操作により選択されたインターフェースボードＩＦのエラーをユーザーに通知する（ステップＳＡ６）。このように、電源制御部１７３は、既に電源供給を行っているインターフェースボードＩＦへの電源供給を維持するため、エラーが検出されたインターフェースボードＩＦへの電源供給を行わない。したがって、電源制御部１７３は、検出されたエラーが電源供給に起因してさらに拡大することを防止できる。また、エラーを通知することにより、ユーザーは、選択したインターフェースボードＩＦにエラーが検出されたことを認識できる。
【００８２】
ステップＳＡ７とステップＳＡ１とは同様の処理であり、また、ステップＳＡ８とステップＳＡ２とは同様の処理であり、また、ステップＳＡ９とステップＳＡ３とは同様の処理である。そのため、ステップＳＡ７、ＳＡ８、ＳＡ９の詳細な説明を省略する。
ステップＳＡ１０とステップＳＡ４とは同様の処理であり、また、ステップＳＡ１１とステップＳＡ５とは同様の処理であり、また、ステップＳＡ１２とステップＳＡ６とは同様の処理である。そのため、ステップＳＡ１０、ＳＡ１１、ＳＡ１２の詳細な説明を省略する。
【００８３】
以上、説明したように、プロジェクター１００（表示装置）は、２枚のインターフェースボードＩＦを交換可能に接続できる接続部１５４と、接続部１５４に接続されたインターフェースボードＩＦと通信を行うボード通信部１５２（通信部）と、接続部１５４に接続されたインターフェースボードＩＦの種類を判別する判別部１７２と、接続部１５４に接続されたインターフェースボードＩＦへの電源供給を制御する電源制御部１７３と、接続部１５４に接続されたインターフェースボードＩＦのいずれかを選択する選択操作を受け付ける操作受付部１３０と、選択操作により選択されたインターフェースボードＩＦからボード通信部１５２に入力された画像情報に基づく画像を投射する投射部１１０（表示部）と、を備える。
電源制御部１７３は、判別部１７２によって判別された２枚のインターフェースボードＩＦの種類に基づいて、一方のインターフェースボードＩＦ（第１のインターフェースボード）に電源供給を行い、他方のインターフェースボードＩＦ（第２のインターフェースボード）に電源供給を行っていない状態で、操作受付部１３０が上記他方のインターフェースボードＩＦを選択する選択操作を受け付けると、上記一方のインターフェースボードＩＦへの電源供給を停止し、上記一方のインターフェースボードＩＦへの電源供給を停止した後に上記他方のインターフェースボードＩＦへの電源供給を開始する。
【００８４】
この構成によれば、選択されたインターフェースボードＩＦに十分な電源供給を行えるため、２枚のインターフェースボードＩＦが交換可能に接続できるプロジェクター１００において、ユーザーが選択したインターフェースボードＩＦを確実に使用できるようにすることができる。
【００８５】
また、プロジェクター１００は、同時に電源供給できないインターフェースボードＩＦの種類の組み合わせを記憶する記憶部１６０を備える。電源制御部１７３は、判別部１７２に判別された２枚のインターフェースボードＩＦの種類の組み合わせが、記憶部１６０が記憶する組み合わせに該当する場合に、選択操作により選択されたインターフェースボードＩＦに電源供給を行い、記憶部１６０が記憶する組み合わせに該当する他のインターフェースボードＩＦに電源供給を行わない。
【００８６】
この構成によれば、同時に電源供給できない２枚のインターフェースボードＩＦが接続された場合でも、選択されたインターフェースボードＩＦに十分な電源供給を行うことができる。そのため、プロジェクター１００は、同時に電源供給できない２枚のインターフェースボードＩＦが接続している場合でも、ユーザーが選択したインターフェースボードＩＦを使用できるようにすることができる。
【００８７】
また、電源制御部１７３は、判別部１７２に判別された複数のインターフェースボードＩＦの種類の組み合わせが、記憶部１６０が記憶する組み合わせに該当しない場合に、接続部１５４に接続された２枚のインターフェースボードＩＦのそれぞれに電源供給を行う。
【００８８】
この構成によれば、同時に電源供給できる２枚のインターフェースボードＩＦが接続された場合に、選択されたインターフェースボードＩＦを含んだ２枚のインターフェースボードＩＦに十分な電源供給を行うことができる。そのため、プロジェクター１００は、選択されたインターフェースボードＩＦを含んだ２枚のインターフェースボードＩＦを、ユーザーが使用できるようにすることができる。
【００８９】
また、プロジェクター１００は、選択操作により選択されたインターフェースボードＩＦのエラーを検出するエラー検出部１７４を備える。電源制御部１７３は、２枚のインターフェースボードＩＦのうち、一方のインターフェースボードＩＦに電源供給を行い、他方のインターフェースボードＩＦに電源供給を行っていない状態で、選択操作により選択された上記他方のインターフェースボードＩＦにおけるエラーをエラー検出部１７４が検出した場合、上記一方のインターフェースボードＩＦへの電源供給を維持して、エラー検出部１７４が検出したエラーを投射部１１０より通知させる。
【００９０】
この構成によれば、選択操作により操作されたインターフェースボードＩＦで検出されたエラーの拡大を防止しつつ、このインターフェースボードＩＦで検出されたエラーをユーザーに認識させることができる。
【００９１】
上述した実施形態及び変形例は、本発明の好適な実施の形態である。ただし、これに限定されるものではなく、本発明の要旨を逸脱しない範囲内において種々の変形実施が可能である。
【００９２】
例えば、上述した実施形態及び変形例では、接続部１５４に接続できるインターフェースボードＩＦの枚数を２枚である場合について説明したが、枚数は複数であれば何枚でもよい。この場合、プロジェクター１００の筐体の側面には、接続できるインターフェースボードＩＦの枚数に対応する数分の開口が形成される。
【００９３】
また、例えば、上述した実施形態及び変形例では、同時に電源供給できないインターフェースボードＩＦの種類の組み合わせとして、３Ｇ−ＳＤＩ規格の入力端子及び出力端子を有するインターフェースボードＩＦ１の種類同士の組み合わせを例示した。しかしながら、同時に電源供給できないインターフェースボードＩＦの種類の組み合わせは、この組み合わせに限定されず、同時に電源供給を行った際にインターフェースボードＩＦが動作に必要な電力の総和がプロジェクター１００から供給可能な電力を上回るようなインターフェースボードＩＦの種類の組み合わせであればよい。
【００９４】
例えば、上述した実施形態では、プロジェクター１００が、透過型の液晶パネルを用いた液晶プロジェクターである場合について説明したが、反射型の液晶パネルやデジタルミラーデバイスを用いたプロジェクターであってもよい。
【００９５】
また、例えば、上述したプロジェクター１００の制御方法（表示装置の制御方法）が、プロジェクター１００が備えるコンピューター、又は、プロジェクター１００に接続される外部装置を用いて実現される場合、本発明を、当該方法を実現するためにコンピューターが実行するプログラム、このプログラムをコンピューターで読み取り可能に記録した記録媒体、或いは、このプログラムを伝送する伝送媒体の態様で構成することも可能である。
【００９６】
また、図３、及び図４に示すフローチャートの処理単位は、プロジェクター１００の制御部１７０の処理を理解容易にするために、主な処理内容に応じて分割したものである。図３、及び図４のフローチャートに示す処理単位の分割の仕方や名称によって本発明が制限されることはない。また、制御部１７０の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【００９７】
また、図２に示すプロジェクター１００の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。
【００９８】
また、本発明の表示装置は、スクリーンＳＣに画像を投射するプロジェクターに限定されない。例えば、表示装置は、液晶表示パネルに画像を表示する液晶モニター若しくは液晶テレビ、又はＰＤＰ（プラズマディスプレイパネル）に画像を表示するモニター装置若しくはテレビ受像機、又はＯＬＥＤ（Organic light-emitting diode）やＯＥＬ（Organic Electro-Luminescence）等と呼ばれる有機ＥＬ表示パネルに画像を表示するモニター装置若しくはテレビ受像機等の自発光型の表示装置など、各種の表示装置も本発明の表示装置に含まれる。
【符号の説明】
【００９９】
５…リモコン、１００…プロジェクター（表示装置）、１１０…投射部（表示部、通知部）、１１１…光源部、１１２…光変調装置、１１３…投射光学系、１１４…投射開口部、１２０…駆動部、１２１…光源駆動部、１２２…光変調装置駆動部、１２３…投射光学系駆動部、１３０…操作受付部、１３１…操作パネル、１３３…リモコン受光部、１３５…入出力Ｉ／Ｆ部、１４５…通信Ｉ／Ｆ部、１５１…画像入力Ｉ／Ｆ部、１５２…ボード通信部（通信部）、１５３…フレームメモリー、１５４…接続部、１５５…画像処理部、１５７…ＯＳＤ処理部、１６０…記憶部、１７０…制御部、１７１…投射制御部、１７２…判別部、１７３…電源制御部、１７４…エラー検出部、８０…バス、２００…電源部、２０１…電源供給部、１６０Ａ…組み合わせＤＢ、ＤＧ…商用交流電源、ＩＦ、ＩＦ１、ＩＦ２…インターフェースボード、ＳＣ…スクリーン。
【図１】
2019134282.tif 000003
【図２】
2019134282.tif 000004
【図３】
2019134282.tif 000005
【図４】
2019134282.tif 000006